(57)【特許請求の範囲】
【請求項１】
建築用資材の少なくとも一部を覆うとともに前記建築用資材から放散される気体状化学物質を内部空間に収納する気体収納部材と、この気体収納部材の内部空間に収納された気体状化学物質の濃度を測定する濃度測定管とを備え、
前記気体収納部材には内部空間に収納された気体状化学物質を採取するガス採取器が設けられ、このガス採取器のガス採取部の先端部には前記濃度測定管が設けられ、前記気体収納部材は前記内部空間を密閉可能とし、前記ガス採取器は前記内部空間内の気体状化学物質を吸引するものであり、前記濃度測定管は前記内部空間に臨んで配置されたことを特徴とする化学物質の測定装置。
【請求項２】
請求項１に記載の化学物質の測定装置において、前記濃度測定管は前記建築用資材から放散されるホルムアルデヒドの濃度を測定することを特徴とする化学物質の測定装置。
【請求項３】
請求項１又は２に記載の化学物質の測定装置において、前記気体収納部材は、一側の開口部が前記建築用資材に対向する筒状部材と、この筒状部材の他側の開口部を閉塞する板状部材とを備えていることを特徴とする化学物質の測定装置。
【請求項４】
請求項１又は２に記載の化学物質の測定装置において、前記気体収納部材は、一側の開口部が前記建築用資材に対向する筒状部材と、この筒状部材の他側の開口部を閉塞する可撓性の袋部材とを備えていることを特徴とする化学物質の測定装置。
【請求項５】
建築用資材から放散される気体状化学物質を測定する化学物質の測定方法であって、
前記建築用資材から放散される気体状化学物質を内部空間に収納する気体収納部材と、この気体収納部材の内部空間に収納された気体状化学物質の濃度を測定する濃度測定管とを備え、前記気体収納部材には内部空間に収納された気体状化学物質を採取するガス採取器が設けられ、このガス採取器のガス採取部の先端部には前記濃度測定管が設けられ、前記ガス採取器は前記内部空間内の気体状化学物質を吸引するものであり前記濃度測定管が前記内部空間に臨んで配置された測定装置を用い、
前記気体収納部材で前記建築用資材の少なくとも一部を密閉状態で覆い、この気体収納部材の内部空間に収納された気体状化学物質の濃度を濃度測定管で測定することを特徴とする化学物質の測定方法。
【発明の詳細な説明】
【０００１】
【発明の属する技術分野】
本発明は、建築用資材から放散される有害な気体状化学物質を測定するための化学物質の測定装置及び測定方法に関するものである。
【０００２】
【背景技術】
建築用資材、例えば、パネル合板から目や喉に刺激・不快感を与える無色の気体であるホルムアルデヒド（ＨＣＨＯ）が放散されることがある。このホルムアルデヒドは有害であるため、ＷＴＯやスウェーデン、オランダ、アメリカ合衆国各州ではパネル合板を使用した場合のホルムアルデヒドの室内基準値を設定している。
【０００３】
従来では、ホルムアルデヒドの放散量の測定法として、ＪＡＳのデシケータ法、パーホレータ法、ラージチャンバー法、スモールチャンバー法、フラスコ法がある。
デシケータ法は、主に合板、フローリングに採用されるものであり、寸法50mm× 150mmの試験片を10個用意し、これらの試験片を支持金具で固定するとともに底部に蒸留水を入れたデシケータの内部に温度20±１℃で２４時間放置し、これらの試験片から放散されるホルムアルデヒドを蒸留水に吸収させ、これを試験溶液として測定するものである。測定に際しては、光電分光光度計又は光電比色計を用いて比色定量する。測定結果はmg/lで表示され、その数値が大きい程ホルムアルデヒドの放散量が多い。
【０００４】
パーホレータ法では、木質パネル類で採用されるものであり、丸底フラスコに２cm平方に切断した試験片小片を105〜110gとなるように入れ、さらにトルエンを600mlを加える。この丸底フラスコの上に蒸留水を１リットル収納した液抽出管を配置し、この液抽出管の上に蒸留水を100ml収納した三角フラスコを配置し、丸底フラスコをトルエンの留出速度が30ml/minとなるように加熱し、２時間蒸留をした後、液抽出管内の水に含まれるホルムアルデヒドをヨード法で定量する。
【０００５】
ラージチャンバー法（ＡＳＴＭ  Ｅ  1333-90法）では、温度25±３℃、関係湿度50±５％に保った所定容量のチャンバーを使用し、チャンバーの単位容積当たりの試料の面積の割合を所定値にし、チャンバー内で試料を16〜20時間放置した後、ホルムアルデヒド測定のための空気を採取し、亜硫酸ソーダ１％水溶液を20ml入れた吸収びんを経て所定の割合で30〜60分間抜き取る。そして、吸収びんに溶解したホルムアルデヒド量を改良クロモトローブ酸法でによって定量する。
【０００６】
スモールチャンバー法（ＦＴＭ３−1996法）では、ラージチャンバーに代えてスモールチャンバーを用いクロモトローブ酸手法で定量する。
フラスコ法は40℃に保ったフラスコ内に木口をシールした25mm平方の試験片を入れ、20℃の水50mlにホルムアルデヒドを吸収させ、２４時間後に比色定量する。
【０００７】
【発明が解決しようとする課題】
しかしながら、デシケータ法では、寸法50mm× 150mmという小さな試験片を用意しなければならず、測定のための準備作業が煩雑であるという問題点がある。さらに、定量までに２４時間以上費やすという問題点がある。また、光電分光光度計や光電比色計がないと測定できないので、設備投資又は検査外注が必要であり、コストがかかるという問題点がある。
また、パーホレータ法では、２cm平方という小さな試験片小片を用意しなければならず、トルエン等を蒸留させるために２時間余りの測定時間が必要とされる。その上、測定のために多くの種類の測定器具を用意しなければならないだけでなく、測定作業が煩雑であるという問題点がある。
【０００８】
さらに、ラージチャンバー法やスモールチャンバー法では、チャンバー内に試料を配置しなければならないので、試料が一定の大きさに制限される。また、測定に際して試料をチャンバー内で16〜20時間放置しなければならないので、長い測定時間が必要とされる。さらに、ホルムアルデヒド測定のための空気を採取し、亜硫酸ソーダ１％水溶液を20ml入れた吸収びんを経て所定の割合で30〜60分間抜き取る等の煩雑な測定作業が必要とされるという問題点がある。
また、フラスコ法では，25mm平方という小さい試験片を用意しなければならず、測定時間も２４時間余り費やすという問題点がある。
【０００９】
本発明の目的は、小さな試験片を用意することなく短時間で測定作業が簡易に行える化学物質の測定装置及び測定方法を提供することにある。
【００１０】
【課題を解決するための手段】
そのため、本発明は、建築用資材の少なくとも一部を気体収納部材で覆い、この気体収納部材の内部空間に収納された気体状化学物質の濃度を濃度測定管で測定して前記目的を達成しようとするものである。
具体的には本発明にかかる化学物質の測定装置１,１３は、添付図面を参照して説明すると、建築用資材２の少なくとも一部を覆うとともに前記建築用資材２から放散される気体状化学物質を内部空間３Ａ，１４Ａに収納する気体収納部材３，１４と、この気体収納部材３，１４の内部空間３Ａ，１４Ａに収納された気体状化学物質の濃度を測定する濃度測定管４とを備え、前記気体収納部材には内部空間に収納された気体状化学物質を採取するガス採取器が設けられ、このガス採取器のガス採取部の先端部には前記濃度測定管が設けられ、前記気体収納部材は前記内部空間を密閉可能とし、前記ガス採取器は前記内部空間内の気体状化学物質を吸引するものであり、前記濃度測定管は前記内部空間に臨んで配置されたことを特徴とする。
【００１１】
また、本発明にかかる化学物質の測定方法は、建築用資材２から放散される気体状化学物質を測定する化学物質の測定方法であって、前記建築用資材から放散される気体状化学物質を内部空間に収納する気体収納部材と、この気体収納部材の内部空間に収納された気体状化学物質の濃度を測定する濃度測定管とを備え、前記気体収納部材には内部空間に収納された気体状化学物質を採取するガス採取器が設けられ、このガス採取器のガス採取部の先端部には前記濃度測定管が設けられ、前記ガス採取器は前記内部空間内の気体状化学物質を吸引するものであり、前記濃度測定管が前記内部空間に臨んで配置された測定装置を用い、前記気体収納部材で前記建築用資材の少なくとも一部を密閉状態で覆い、この気体収納部材３，１４の内部空間３Ａ，１４Ａに収納された気体状化学物質の濃度を濃度測定管４で測定することを特徴とする。
【００１２】
このような構成の本発明では、恒温室内で被測定物である建築用資材２に所定サイズの気体収納部材３，１４を密閉した状態で取り付け、所定時間（例えば、１時間）放置して気体収納部材３，１４の内部空間３Ａ，１４Ａに建築用資材２から放散される気体状化学物質を充満させる。
その後、この内部空間３Ａ，１４Ａに充満した気体状化学物質の濃度を濃度測定管４（例えば、ガステック社製のガス検知管）で測定する。
【００１３】
従って、本発明では、建築用資材２は、その一部が気体収納部材３，１４で覆われる大きさであれば十分であるから、試験片として小さいサイズのものを別途用意する必要がない。例えば、現場で施工するサイズの建築用資材２をそのまま測定できる。
さらに、気体収納部材３，１４で気体状化学物質を漏らすことなく確実に収納し、濃度測定を濃度測定管４で直接行うから、測定作業を短時間で簡易に行える。
【００１４】
しかも、本発明では、前記気体収納部材３，１４には内部空間３Ａ，１４Ａに収納された気体状化学物質を採取するガス採取器５が設けられ、このガス採取器５のガス採取部９には前記濃度測定管４が設けられた構造である。
この構造では、気体収納部材３，１４の内部空間３Ａ，１４Ａに収納された気体状化学物質をガス採取器５で強制的に採取し、この採取した密度の濃い気体状化学物質の濃度測定を濃度測定管４で行えるから、測定が確実かつ迅速に行える。
ここで、本発明では、前記濃度測定管４は前記建築用資材２から放散されるホルムアルデヒドの濃度を測定するもの（例えば、ガステック社製のＨＣＨＯ用ガス検知管）でもよい。
【００１５】
さらに、本発明では、前記構成に加えて、前記気体収納部材３は、一側の開口部が前記建築用資材２に対向する筒状部材６と、この筒状部材６の他側の開口部を閉塞する板状部材７とを備えた構造でもよい。
この構造では、気体収納部材３の構造が簡易となり、測定のためのコストを低くすることができる。
これに対して、前記気体収納部材１４は、一側の開口部が前記建築用資材２に対向する筒状部材６と、この筒状部材６の他側の開口部を閉塞する可撓性の袋部材１５とを備えた構造でもよい。
この構造では、ガス採取器５で気体収納部材１４の内部空間１４Ａに収納された気体状化学物質を吸引する際に、内部空間１４Ａ内に負圧が生じても、袋部材１４が撓むため、外気が内部空間１４Ａ内に侵入することがない。そのため、精度の高い測定が行える。
【００１６】
【発明の実施の形態】
以下、本発明の実施の形態を図面に基づいて詳細に説明する。
ここで、各実施形態中、同一構成要素は同一符号を付して説明を省略する。
図１及び図２には本発明の第１実施形態にかかる化学物質の測定装置が示されている。図１は測定装置１が建築用資材２に取り付けられた状態を示す斜視図であり、図２は測定装置１の分解斜視図である。
【００１７】
図１において、測定装置１は、建築用資材２である合板から放散されるホルムアルデヒド（気体状化学物質）を測定するものであって、建築用資材２の一部を覆うとともに建築用資材２から放散されるホルムアルデヒドを内部空間３Ａに収納する気体収納部材３と、この気体収納部材３の内部空間３Ａに収納されたホルムアルデヒドの濃度を測定する濃度測定管４と、内部空間３Ａ内のホルムアルデヒドを採取するガス採取器５とを備えた構造である。
【００１８】
図２に示される通り、気体収納部材３は、一側の開口部が建築用資材２に対向する筒状部材６と、この筒状部材６の他側の開口部を閉塞する板状部材７とを備えている。
筒状部材６は４本の角材から外寸300mm×450mm、内寸240mm×390mmの角柱状に形成され、その一部に濃度測定管４を内部空間３Ａに挿通するための孔部３Ｂが形成されている。板状部材７は、その外法が筒状部材６の外寸と同じアクリル板から構成され、筒状部材６との間がパッキン等によって密閉状態とされている。
【００１９】
濃度測定管４は、ホルムアルデヒドの濃度を測定するガステック社製のガス検知管（ＨＣＨＯ用）であって、ホルムアルデヒドにより変色した部位を予め設けられた目盛り４Ａから読みとって濃度を測定する構造である。ホルムアルデヒドの濃度に比例して変色した部位が多くなる。
ガス採取器５は、気体収納部材３の筒状部材６に設けられるガステック社製のガス採取器であって、シリンダ状の本体８と、この本体８の先端部に設けられたガス採取部９と、本体８の内部に設けられた吸引機構１０と、この吸引機構１０を操作する操作レバー１１とを備えた構造である。
ガス採取部９には濃度測定管４が着脱自在に設けられている。
【００２０】
この構成の第１実施形態の測定装置１を用いて建築用資材２のホルムアルデヒドの濃度を測定するには、まず、気体収納部材３の孔部３Ｂを図示しないテープで塞いでおき、内部空間３Ａを被測定物である建築用資材２に対向した状態で建築用資材２の一部を気体収納部材３で覆う。
気体収納部材３と建築用資材２との間が密着状態となるように、必要に応じて両者の間をテープ１２で目張りする（図１参照）。
気体収納部材３を取り付けた建築用資材２を２０℃の恒温室で１時間放置する。この状態では、建築用資材２から放散されるホルムアルデヒドは気体収納部材３の内部空間３Ａに充満される。
【００２１】
１時間経過後、気体収納部材３の内部空間３Ａに収納されたホルムアルデヒドの濃度を測定するが、まず、ガス採取器５のガス採取部９に濃度測定管４を取り付け、その後、気体収納部材３の孔部３Ｂを覆ったテープを濃度測定管４で破るようにして内部空間３Ａに濃度測定管４を挿入し、ガス採取器５の操作レバー１１を操作してホルムアルデヒドを採取する。例えば、操作レバー１１を約１５秒間隔で５回進退させ、濃度測定管４にホルムアルデヒドを強制的に接触させるようにする。
その後、濃度測定管４を気体収納部材３から抜き取るとともに、ガス採取器５から取り外し、濃度測定管４の変色部位を目盛り４Ａから読みとってホルムアルデヒドの濃度を測定する。
【００２２】
従って、▲１▼第１実施形態によれば、測定装置１を、建築用資材２の一部を覆い建築用資材２から放散されるホルムアルデヒド（気体状化学物質）を内部空間３Ａに収納する気体収納部材３と、この気体収納部材３の内部空間３Ａに収納されたホルムアルデヒドの濃度を測定する濃度測定管４とを備えた構造としたから、建築用資材２は、その一部が気体収納部材３で覆われる大きさであれば十分であるので、試験片として小さいサイズのものを別途用意する必要がない。
【００２３】
例えば、現場で施工するサイズの建築用資材（例えば、３×６尺サイズ）をそのまま測定できるから、試料準備に従来例のような煩雑さは伴わない。
さらに、気体収納部材３でホルムアルデヒドを漏らすことなく確実に収納し、濃度測定を濃度測定管４で直接行うから、１時間という短い時間で簡易に測定作業が行える。
しかも、１回の測定にあたり、消費する部材は１本の濃度測定管４であり、光電分光光度計等の測定機器が不要とされるから、測定のためのコストを低くすることができる。
【００２４】
さらに、▲２▼気体収納部材３には内部空間３Ａに収納されたホルムアルデヒドを採取するガス採取器５が設けられ、このガス採取器５のガス採取部９には濃度測定管４が着脱自在に設けられた構造であるから、気体収納部材３の内部空間３Ａに収納されたホルムアルデヒドをガス採取器５で強制的に採取し、この採取した密度の濃いホルムアルデヒドの濃度を濃度測定管４で測定することになり、測定が確実かつ迅速に行える。
また、▲３▼第１実施形態では、気体収納部材３は、一側の開口部が建築用資材２に対向する筒状部材６と、この筒状部材６の他側の開口部を閉塞する板状部材７とを備えているから、気体収納部材３の構造が簡易となり、測定のためのコストを低くすることができる。
【００２５】
なお、第１実施形態の測定結果を検証するため、第１実施形態で測定した建築用資材２をＪＡＳのデシケータ法で測定した。
第１の建築用資材（９mmの合板）を使用した場合、第１実施形態ではホルムアルデヒドの濃度が2.0ppmであり、ＪＡＳでは、10mg/lの測定値であった。
第２の建築用資材（４mmの合板）を使用した場合、第１実施形態ではホルムアルデヒドの濃度が1.0ppmであり、ＪＡＳでは、５mg/lの測定値であった。
第３の建築用資材（９mmの合板）を使用した場合、第１実施形態ではホルムアルデヒドの濃度が検出下限値以下であり、ＪＡＳでは、２mg/lの検査値であった。
第４の建築用資材（４mmの合板）を使用した場合、第１実施形態ではホルムアルデヒドの濃度が2.5ppmであり、ＪＡＳでは、10mg/lの測定値であった。
以上の結果から、第１実施形態で得られた測定値であるホルムアルデヒド濃度とＪＡＳの測定値とは相関関係があり、第１実施形態はＪＡＳのデシケータ法と整合性があることがわかる。
【００２６】
次に、本発明の第２実施形態を図３に基づいて説明する。
第２実施形態は第１実施形態に比べて気体収納部材の構成が相違するもので、他の構成は第１実施形態と同じである。
図３は本発明の第２実施形態に係る測定装置１３が建築用資材２に取り付けられた状態を示す斜視図である。
図３において、第２実施形態の測定装置１３は、建築用資材２の一部を覆うとともに建築用資材２から放散されるホルムアルデヒドを内部空間１４Ａに収納する気体収納部材１４と、この気体収納部材１４の内部空間１４Ａに収納されたホルムアルデヒドの濃度を測定する前記濃度測定管４と、内部空間１４Ａ内のホルムアルデヒドを採取するガス採取器５とを備えた構造である。
【００２７】
図３に示される通り、気体収納部材１４は、一側の開口部が建築用資材２に対向する前記筒状部材６と、この筒状部材６の他側の開口部を閉塞する可撓性の袋部材１５と、この袋部材１５に設けられたホース１６とを備えて構成されている。
袋部材１５は、その端縁が筒状部材６の内縁部に固定されており、内部空間１４Ａに負圧が生じても変形して対応できるように所定の大きさを有する。
袋部材１５の材質は、非吸着性、非通気性のテドラー（弗化ビニル樹脂）等でもよい。
ホース１６は、その一端部が袋部材１５の内部と連通しており、その他端部が濃度測定管４が挿通可能とされている。
【００２８】
従って、第２実施形態によれば、前記第１実施形態の▲１▼及び▲２▼の作用効果を奏する他に、▲４▼気体収納部材１４は、一側の開口部が建築用資材２に対向する筒状部材６と、この筒状部材６の他側の開口部を閉塞する可撓性の袋部材１５とを備えた構造であるから、ガス採取器５で気体収納部材１４の内部空間１４Ａに収納されたホルムアルデヒドを吸引する際に、内部空間１４Ａ内に負圧が生じても、袋部材１５が撓むため、外気が内部空間１４Ａ内に誤って侵入することがない。そのため、精度の高い測定が行える。
【００２９】
なお、本発明は前述の各実施の形態に限定されるものではなく、本発明の目的を達成できる範囲であれば次に示す変形例を含むものである。
例えば、前記各実施の形態では、濃度測定管４は建築用資材２から放散されるホルムアルデヒドの濃度を測定するものとしたが、本発明では、他の気体状化学物質を測定するものでもよい。
また、建築用資材２は合板以外のもの、例えば、木質パネル、フローリング等でもよい。
【００３０】
さらに、ガス採取器５は必ずしも必要なものではなく、濃度測定管４を気体収納部材３，１４の内部空間３Ａ，１４Ａに配置し自然に濃度測定管でホルムアルデヒドを吸収するものでもよい。この場合の濃度測定管として前記濃度測定管とは種類の異なるものを用いる。
また、建築用資材２の少なくとも一部を覆うものであれば、気体収納部材３，１４の大きさは前記各実施形態のものに限定されるものではない。
さらに、気体収納部材３，１４の筒状部材６は、平面円形状、楕円形状、三角形状、五角形状等、平面矩形状以外の形状も含まれる。
【００３１】
【発明の効果】
以上の通り、本発明によれば、建築用資材の少なくとも一部を覆い建築用資材から放散される気体状化学物質を内部空間に収納する気体収納部材と、この気体収納部材の内部空間に収納された気体状化学物質の濃度を測定する濃度測定管とを備えて測定装置を構成したから、建築用資材は、その一部が気体収納部材で覆われる大きさであれば十分であるので、試験片として小さいサイズのものを別途用意する必要がなく、短い時間で簡易に測定作業が行える。
【図面の簡単な説明】
【図１】本発明の第１実施形態に係る測定装置が建築用資材に取り付けられた状態を示す斜視図である。
【図２】前記測定装置の分解斜視図である
【図３】本発明の第２実施形態に係る測定装置が建築用資材に取り付けられた状態を示す斜視図である。
【符号の説明】
１,13       測定装置
２          建築用資材
３,14       気体収納部材
3A,14A      内部空間
４          濃度測定管
５          ガス採取器
６          筒状部材
７          板状部材
１５        袋部材
【図１】
0003796311.tif 000002
【図２】
0003796311.tif 000003
【図３】
0003796311.tif 000004